【手続補正書】
【提出日】平成20年6月26日(2008.6.26)
【手続補正１】
【補正対象書類名】明細書
【補正対象項目名】特許請求の範囲
【補正方法】変更
【補正の内容】
【特許請求の範囲】
【請求項１】  ワイヤレスアクセスネットワークシステムにおける動作方法であって、
ＲＡＤＩＵＳ装置を設ける段階と、
ネットワークコントローラを設ける段階と、
ユーザがワイヤレスユーザ機器を通じてネットワークにアクセスし、所望のサービスプロバイダへのアクセスを要求する段階と、
上記ネットワークコントローラがユーザアクセス要求を受け取り、上記所望のサービスプロバイダのＲＡＤＩＵＳ装置に対してユーザの照合を要求し、上記ＲＡＤＩＵＳ装置からユーザ承認情報を受け取る段階と、
上記ネットワークコントローラが上記所望のサービスプロバイダに接続し、それにより上記ユーザが通信セッションを開始するために上記所望のサービスプロバイダとの通信リンクを確立する段階とを含む方法。
【請求項２】  所定のサービスプロバイダ識別情報が上記ワイヤレスユーザ機器と関連付けられ、上記ユーザの照合を要求する段階は、
第１のサービスプロバイダに関連付けられる第１のＲＡＤＩＵＳ装置から上記ユーザの照合を要求する段階と、
上記所定のサービスプロバイダ識別情報が上記第１のサービスプロバイダと一致しない場合は、上記第１のＲＡＤＩＵＳ装置が、上記所定のサービスプロバイダ識別情報と一致する識別情報を有するサービスプロバイダの更なるＲＡＤＩＵＳ装置へ照合要求を伝送する段階と、
上記更なるＲＡＤＩＵＳ装置が上記ネットワークコントローラへユーザ承認情報を伝送する段階とを含む、
請求項１記載の方法。
【請求項３】  上記ユーザに対して、データ容量に関連するサービスの値を割り当てる段階を含む、請求項１又は２記載の方法。
【請求項４】  上記ユーザに対して、待ち時間に関連するサービスの値を割り当てる段階を含む、請求項１乃至３のうちいずれか一項記載の方法。
【請求項５】  上記割り当てられたサービスの値は、標準ＲＡＤＩＵＳフォーマットメッセージに含まれる、請求項３記載の方法。
【請求項６】  上記システムは、セルラーワイヤレスインターネットアクセスシステムである、請求項１乃至５のうちいずれか一項記載の方法。
【請求項７】  上記システムは、ＵＭＴＳシステムである、請求項１乃至６のうちいずれか一項記載の方法。
【請求項８】  所定のサービスプロバイダに関連するユーザ識別情報とパスワードは、ワイヤレスユーザ機器と関連付けられ、
上記ユーザの照合を要求する段階は、上記ユーザ識別情報とパスワードを上記所望のサービスプロバイダのＲＡＤＩＵＳ装置に伝送する段階を含む、請求項１乃至７のうちいずれか一項記載の方法。
【請求項９】  上記ネットワークコントローラが上記所望のサービスプロバイダに接続する段階は、上記ネットワークコントローラがレイヤ２トンネリングプロトコルリンクを介して接続する段階を含む、請求項１乃至８のうちいずれか一項記載の方法。
【請求項１０】  上記サービスプロバイダはインターネットサービスプロバイダである、請求項１乃至９のうちいずれか一項記載の方法。
【請求項１１】  上記ユーザの照合を要求する段階は、ＲＡＤＩＵＳ装置に対して標準フォーマットのＲＡＤＩＵＳメッセージを伝送する段階を含み、上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングとを含む、
請求項１乃至１０のうちいずれか一項記載の方法。
【請求項１２】  上記所望のサービスプロバイダのＲＡＤＩＵＳ装置からユーザ承認を受け取る段階は、標準フォーマットのＲＡＤＩＵＳメッセージを受信する段階を含み、
上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングと、
上記ユーザがホームネットワークユーザであるかローミングユーザであるかを示す標識とを含む、
請求項１乃至１１のうちいずれか一項記載の方法。
【請求項１３】  ＲＡＤＩＵＳ装置と、
ネットワークコントローラと、
ユーザがネットワークにアクセスし、所望のサービスプロバイダへのアクセスを要求するためのワイヤレスユーザ機器と、
ユーザアクセス要求を受け取り、上記所望のサービスプロバイダのＲＡＤＩＵＳ装置に対してユーザの照合を要求し、上記ＲＡＤＩＵＳ装置からユーザ承認情報を受け取るよう配置されたネットワークコントローラと、
上記所望のサービスプロバイダに接続し、それにより上記ユーザが通信セッションを開始するために上記所望のサービスプロバイダとの通信リンクを確立するよう配置された上記ネットワークコントローラと含む、ワイヤレスアクセスネットワークシステム。
【請求項１４】  ワイヤレスアクセスネットワークシステムにおいて用いられるＲＡＤＩＵＳ装置であって、
上記システムのネットワークコントローラからワイヤレス機器のユーザの照合の要求を受信し、上記ネットワークコントローラにユーザ承認を与えるよう配置される、ＲＡＤＩＵＳ装置。
【請求項１５】  ワイヤレスアクセスネットワークシステムにおいて用いられるネットワークコントローラであって、
上記ネットワークに対するユーザアクセスを認証するためにＲＡＤＩＵＳサーバと共に用いられるＲＡＤＩＵＳクライアントを有するネットワークコントローラ。
【請求項１６】  請求項１乃至１２のうちいずれか一項記載のワイヤレスアクセスネットワークシステムにおける動作方法を実行するためのコンピュータプログラム手段を含むコンピュータプログラムエレメント。
【請求項１７】  集中ネットワークコントローラから対象インターネットサービスプロバイダ（ＩＳＰ）へセルラーネットワークを介してワイヤレス式に通信するために直接取り付けられたアンテナを有する携帯加入者端末をユーザが使用するＰＳＴＮ（Public  Switched  Telephone  Network）と共に通常は使用されるＲＡＤＩＵＳ（Remote  Authentication  Dial-In  User  Service）を用いてセルラーワイヤレスインターネットアクセスシステムを動作させる方法であって、
上記加入者端末にネットワークオペレータの識別情報と上記アクセスネットワークオペレータに関連するユーザの識別情報及びパスワードを与える段階と、
上記加入者端末が上記集中ネットワークコントローラからアクセスを要求する段階と、
上記集中ネットワークコントローラが上記オペレータのＲＡＤＩＵＳサーバからユーザの照合を要求する段階と、
上記ＲＡＤＩＵＳサーバが上記ユーザの識別情報及びパスワードを照合する段階と、
上記集中ネットワークコントローラが承認メッセージを受信する段階と、
上記集中ネットワークコントローラがレイヤ２トンネリングプロトコルネットワークサーバ及び対象インターネットサービスプロバイダに接続し、上記加入者端末がインターネットセッションを開始する段階とを含む方法。
【請求項１８】  上記ＲＡＤＩＵＳサーバがオペレータＩＤに基づいてユーザがローミングユーザであるか判定する段階と、上記ホームアクセスネットワークオペレータの上記ＲＡＤＩＵＳサーバが提携先である許可されたオペレータ及びそのＲＡＤＩＵＳサーバに上記アクセスについての加入者要求を転送する段階と、上記提携先であるＲＡＤＩＵＳサーバがユーザＩＤ及びパスワードを照合し、これを上記集中ネットワークコントローラへ渡す段階とを含む、請求項１７記載の方法。
【請求項１９】  加入者端末に、上記アクセスシステムのデータ容量及び待ち時間に関するサービスの値を割り当てる段階を含む、請求項１７記載の方法。
【請求項２０】  上記ＲＡＤＩＵＳデータは標準データフォーマットを有し、上記サービスの値を上記フォーマットで格納する段階を含む、請求項１７記載の方法。